(57)【特許請求の範囲】
【請求項１】
送信時間期間中に、第１の無線アクセス技術（ＲＡＴ）の第１の無線アクセス回路を使用して第１のデータを送信することと、
前記送信時間期間の少なくとも一部の間に、第２のＲＡＴの第２の無線アクセス回路を使用して第２のデータを受信することとを含み、
前記送信時間期間に基づいて前記第２の無線アクセス回路での前記第２のデータのプリアンブル検出プロセスを変更することによって特徴づけられ、
ここにおいて、前記変更されたプリアンブル検出プロセスは、前記送信時間期間中に、プリアンブル検出が実行されることを強制することを含む、
二重ＳＩＭアクセス端末での二重アクティブモード中の受信機デセンスを軽減する方法。
【請求項２】
前記第１のＲＡＴは、グローバルシステムフォーモバイルコミュニケーションズ（ＧＳＭ（登録商標））であり、前記第２のＲＡＴは、エボリューションフォーデータオプティマイズド（ＥＶ−ＤＯ）である、請求項１に記載の方法。
【請求項３】
前記プリアンブル検出プロセスを前記変更することは、プリアンブルが存在しない場合に、誤プリアンブル保護機構を適用することをさらに含む、請求項１に記載の方法。
【請求項４】
第１の無線アクセス技術（ＲＡＴ）の第１の無線アクセス回路と、
第２のＲＡＴの第２の無線アクセス回路と、
送信時間期間中に、前記第１の無線アクセス回路を使用して第１のデータを送信するための手段と、
前記送信時間期間の少なくとも一部の間に、前記第２の無線アクセス回路を使用して第２のデータを受信するための手段とを含み、
前記送信時間期間に基づいて前記第２の無線アクセス回路でのプリアンブル検出プロセスを変更するための手段によって特徴づけられ、
ここにおいて、前記変更されたプリアンブル検出プロセスは、前記送信時間期間中に、プリアンブル検出が実行されることを強制することを含む、
二重アクティブモード中の受信機デセンスを軽減することができる二重ＳＩＭアクセス端末。
【請求項５】
前記第１のＲＡＴは、グローバルシステムフォーモバイルコミュニケーションズ（ＧＳＭ（登録商標））であり、前記第２のＲＡＴは、エボリューションフォーデータオプティマイズド（ＥＶ−ＤＯ）である、請求項４に記載の二重ＳＩＭアクセス端末。
【請求項６】
前記プリアンブル検出プロセスを変更するための前記手段は、プリアンブルが存在しない場合に、誤プリアンブル保護機構を適用するための手段をさらに含む、請求項４に記載の二重ＳＩＭアクセス端末。
【請求項７】
コンピュータによって実行された時に、前記コンピュータに、請求項１から３のステップのうちのいずれか一項を実行させるコードを含む、コンピュータプログラム。
【請求項８】
少なくとも１つのプロセッサと、
前記少なくとも１つのプロセッサに結合された、第１の無線アクセス技術（ＲＡＴ）の第１の無線アクセス回路と、
前記少なくとも１つのプロセッサに結合された、第２のＲＡＴの第２の無線アクセス回路と、
前記少なくとも１つのプロセッサに結合された、メモリと
を含み、ここにおいて、前記少なくとも１つのプロセッサは、
送信時間期間中に、前記第１の無線アクセス回路を使用して第１のデータを送信し、
前記送信時間期間の少なくとも一部の間に、前記第２の無線アクセス回路を使用して第２のデータを受信するように構成され、
前記送信時間期間に基づいて前記第２の無線アクセス回路でのプリアンブル検出プロセスを変更することによって特徴づけられ、
ここにおいて、前記変更されたプリアンブル検出プロセスは、前記送信時間期間中に、プリアンブル検出が実行されることを強制することを含む、
二重アクティブモード中の受信機デセンスを軽減することができる二重ＳＩＭアクセス端末。
【請求項９】
前記第１のＲＡＴは、グローバルシステムフォーモバイルコミュニケーションズ（ＧＳＭ）であり、前記第２のＲＡＴは、エボリューションフォーデータオプティマイズド（ＥＶ−ＤＯ）である、請求項８に記載の二重ＳＩＭアクセス端末。
【請求項１０】
前記少なくとも１つのプロセッサは、プリアンブルが存在しない場合に、誤プリアンブル保護機構を適用するようにさらに構成される、請求項８に記載の二重ＳＩＭアクセス端末。
【発明の詳細な説明】
【技術分野】
【０００１】
優先権の主張
[0001]本特許出願は、本願の譲受人に譲渡され、これによってその全体がすべての適用可能な目的のために下に完全に記載されているかのように参照によって本明細書に明確に組み込まれている、２０１３年３月１４日に出願した米国特許非仮出願第１３／８３０３０１号、名称「Ｄｕａｌ−Ｓｉｍ  Ｗｉｒｅｌｅｓｓ  Ｃｏｍｍｕｎｉｃａｔｉｏｎｓ  Ｄｅｖｉｃｅ  ａｎｄ  Ｍｅｔｈｏｄ  ｆｏｒ  Ｍｉｔｉｇａｔｉｎｇ  Ｒｅｃｅｉｖｅｒ  Ｄｅｓｅｎｓｅ  ｉｎ  Ｄｕａｌ−Ａｃｔｉｖｅ  Ｏｐｅｒａｔｉｏｎ」の優先権を主張するものである。
【０００２】
[0002]下で議論される技術は、一般には、ワイヤレス通信に関し、より詳細には、二重アクティブモード（dual-active mode）で動作することができる二重ＳＩＭワイヤレス通信デバイスと、二重ＳＩＭワイヤレス通信デバイスを動作させる関連する方法とに関する。
【背景技術】
【０００３】
[0003]ワイヤレス通信ネットワークは、電話、ビデオ、データ、メッセージング、ブロードキャスト、その他など、様々な通信サービスを提供するために展開されている。そのようなネットワークは、通常、多元接続ネットワークであり、使用可能なネットワークリソースを共有することによって、複数のユーザのための通信をサポートする。そのようなネットワークの一例が、グローバルシステムフォーモバイル（ＧＳＭ（登録商標）：global system for mobile）エアインターフェースを使用するＧＳＭネットワークである。Ｅｎｈａｎｃｅｄ  ＧＰＲＳは、第２世代ＧＳＭ技術で使用可能なものを超えてデータレートの向上を提供する、ＧＳＭ技術の拡張である。ＥＧＰＲＳは、当技術分野で、Ｅｎｈａｎｃｅｄ  Ｄａｔａ  ｒａｔｅｓ  ｆｏｒ  ＧＳＭ  Ｅｖｏｌｕｔｉｏｎ（ＥＤＧＥ）とＩＭＴ  Ｓｉｎｇｌｅ  Ｃａｒｒｉｅｒとしても知られている。
【０００４】
[0004]ワイヤレス通信ネットワークの別の例が、ＣＤＭＡ２０００標準規格である。エンハンストボイスデータオプティマイズド（ＥＶ−ＤＯ：Enhanced Voice-Data Optimized）は、高いデータレートをサポートでき、音声サービスと一緒に展開され得る、ＣＤＭＡ２０００標準規格の進化である。ＥＶ−ＤＯは、個々のユーザのスループットと全体的なシステムスループットとの両方を高めるのに、符号分割多元接続（ＣＤＭＡ）ならびに時分割多重（ＴＤＭ）を含む多重化技法を使用する。ＥＶ−ＤＯは、ＣＤＭＡ２０００系列の標準規格の一部として、３ｒｄ  Ｇｅｎｅｒａｔｉｏｎ  Ｐａｒｔｎｅｒｓｈｉｐ  Ｐｒｏｊｅｃｔ  ２（３ＧＰＰ２）によって標準化されている。
【０００５】
[0005]最近、いくつかのワイヤレスモバイル機器（たとえば、移動局、ユーザ機器その他などとも称する）は、複数のネットワーク内で動作する能力を有する。そのような機器の例は、二重加入者識別モジュール（二重ＳＩＭ）を備えたアクセス端末を含む。いくつかの二重ＳＩＭアクセス端末は、２つの異なる無線ネットワーク上で同時に動作することができる。１つのそのようなデバイスは、二重ＳＩＭ二重アクティブ（ＤＳＤＡ：dual-SIM dual-active）デバイスと呼ばれる。ＤＳＤＡデバイスは、２つのワイヤレス通信ネットワーク（たとえば、ＧＳＭおよびＥＶ−ＤＯ）に同時に接続され得る。しかし、そのようなデバイスのＲＦ送信機とＲＦ受信機との近接に起因して、送信と受信の両方が同時に発生する時に、あるネットワークでの送信が、別のネットワークでのその受信機の受信に対する干渉を引き起こす可能性がある。
【発明の概要】
【０００６】
[0007]以下では、本開示の１つまたは複数の態様の基本的な理解を提供するために、そのような態様の単純化された要約を提供する。この要約は、本開示のすべての企図される特徴の網羅的な概要ではなく、本開示のすべての態様の主要な要素またはクリティカルな要素を識別することも、本開示のいずれかまたはすべての態様の範囲を区切ることも、意図されていない。その唯一の目的は、後で提示されるより詳細な説明の前置きとして、単純化された形で本開示の１つまたは複数の態様のいくつかの概念を提示することである。
【０００７】
[0008]一態様では、本開示は、二重ＳＩＭアクセス端末での二重アクティブモード中の受信機デセンス（ｄｅｓｅｎｓｅ）を軽減する方法を提供する。この方法は、送信時間期間中に、第１の無線アクセス技術（ＲＡＴ）の第１の無線アクセス回路を使用して第１のデータを送信することと、送信時間期間の少なくとも一部の間に、第２のＲＡＴの第２の無線アクセス回路を使用して第２のデータを受信することと、送信時間期間に基づいて第２の無線アクセス回路での第２のデータのプリアンブル検出プロセスを変更することとを含む。
【０００８】
[0009]本開示の別の態様は、二重アクティブモード中の受信機デセンスを軽減することができる二重ＳＩＭアクセス端末を提供する。この二重ＳＩＭは、第１の無線アクセス技術（ＲＡＴ）の第１の無線アクセス回路と、第２のＲＡＴの第２の無線アクセス回路と、送信時間期間中に、第１の無線アクセス回路を使用して第１のデータを送信するための手段と、送信時間期間の少なくとも一部の間に、第２の無線アクセス回路を使用して第２のデータを受信するための手段と、送信時間期間に基づいて第２の無線アクセス回路でのプリアンブル検出プロセスを選択的に変更するための手段とを含む。
【０００９】
[0010]本開示の別の態様は、コンピュータ可読記憶媒体を含むコンピュータプログラム製品を提供する。このコンピュータ可読記憶媒体は、二重アクティブモード中の受信機デセンスを軽減することができる二重ＳＩＭアクセス端末に、送信時間期間中に、第１の無線アクセス技術（ＲＡＴ）の第１の無線アクセス回路を使用して第１のデータを送信させ、送信時間期間の少なくとも一部の間に、第２のＲＡＴの第２の無線アクセス回路を使用して第２のデータを受信させ、送信時間期間に基づいて第２の無線アクセス回路でのプリアンブル検出プロセスを選択的に変更させるためのコードを含む。
【００１０】
[0011]本開示の別の態様は、二重アクティブモード中の受信機デセンスを軽減することができる二重ＳＩＭアクセス端末を提供する。この二重ＳＩＭアクセス端末は、少なくとも１つのプロセッサと、少なくとも１つのプロセッサに結合された、第１の無線アクセス技術（ＲＡＴ）の第１の無線アクセス回路と、少なくとも１つのプロセッサに結合された、第２のＲＡＴの第２の無線アクセス回路と、少なくとも１つのプロセッサに結合された、メモリとを含む。少なくとも１つのプロセッサは、送信時間期間中に、第１の無線アクセス回路を使用して第１のデータを送信し、送信時間期間の少なくとも一部の間に、第２の無線アクセス回路を使用して第２のデータを受信し、送信時間期間に基づいて第２の無線アクセス回路でのプリアンブル検出プロセスを選択的に変更するように構成される。
【００１１】
[0012]本開示の別の態様は、二重アクティブモード中の二重ＳＩＭアクセス端末での受信機デセンスを軽減する方法を提供する。この方法は、第１の無線アクセス技術（ＲＡＴ）の第１の無線アクセス回路を使用して第１のデータを送信するための送信時間期間を決定することと、送信時間期間中の第１のデータの送信によって干渉される第２のデータのパーセンテージを推定することと、第２のデータは第２のＲＡＴの第２の無線アクセス回路を使用して受信される、推定されたパーセンテージに基づいて、実効信号対雑音比（ＳＮＲ）を決定することと、第２の無線アクセス回路を使用して実効ＳＮＲに基づいてＤＲＣ要求を送信することとを含む。
【００１２】
[0013]本開示の別の態様は、二重アクティブモード中の受信機デセンスを軽減することができる二重ＳＩＭアクセス端末を提供する。この二重ＳＩＭアクセス端末は、第１の無線アクセス技術（ＲＡＴ）の第１の無線アクセス回路と、第２のＲＡＴの第２の無線アクセス回路と、第１の無線アクセス回路を使用して第１のデータを送信するための送信時間期間を決定するための手段と、送信時間期間中の第１のデータの送信によって干渉される第２のデータのパーセンテージを推定するための手段と、第２のデータは第２の無線アクセス回路を使用して受信される、推定されたパーセンテージに基づいて、実効信号対雑音比（ＳＮＲ）を決定するための手段と、第２の無線アクセス回路を使用して実効ＳＮＲに基づいてデータレート制御（ＤＲＣ）要求を送信するための手段とを含む。
【００１３】
[0014]本開示の別の態様は、コンピュータ可読記憶媒体を含むコンピュータプログラム製品を提供する。このコンピュータ可読記憶媒体は、二重アクティブモード中の受信機デセンスを軽減することができる二重ＳＩＭアクセス端末に、第１の無線アクセス技術（ＲＡＴ）の第１の無線アクセス回路を使用して第１のデータを送信するための送信時間期間を決定することと、送信時間期間中の第１のデータの送信によって干渉される第２のデータのパーセンテージを推定することと、第２のデータは第２のＲＡＴの第２の無線アクセス回路を使用して受信される、推定されたパーセンテージに基づいて、実効信号対雑音比（ＳＮＲ）を決定することと、第２の無線アクセス回路を使用して実効ＳＮＲに基づいてＤＲＣ要求を送信することとを行わせるためのコードを含む。
【００１４】
[0015]本開示の別の態様は、二重アクティブモード中の受信機デセンスを軽減することができる二重ＳＩＭアクセス端末を提供する。この二重ＳＩＭアクセス端末は、少なくとも１つのプロセッサと、少なくとも１つのプロセッサに結合された、第１の無線アクセス技術（ＲＡＴ）の第１の無線アクセス回路と、少なくとも１つのプロセッサに結合された、第２のＲＡＴの第２の無線アクセス回路と、少なくとも１つのプロセッサに結合された、メモリとを含む。少なくとも１つのプロセッサは、第１の無線アクセス回路を使用して第１のデータを送信するための送信時間期間を決定することと、送信時間期間中の第１のデータの送信によって干渉される第２のデータのパーセンテージを推定することと、第２のデータは第２の無線アクセス回路を使用して受信される、推定されたパーセンテージに基づいて、実効信号対雑音比（ＳＮＲ）を決定することと、第２の無線アクセス回路を使用して実効ＳＮＲに基づいてＤＲＣ要求を送信することとを行うように構成される。
【００１５】
[0016]本開示の別の態様は、二重アクティブモード中の二重ＳＩＭアクセス端末での受信機デセンスを軽減する方法を提供する。この方法は、送信時間期間中に、第１の無線アクセス技術（ＲＡＴ）の第１の無線アクセス回路を使用して第１のデータを送信することと、送信時間期間の少なくとも一部の間に、第２のＲＡＴの第２の無線アクセス回路を使用して第２のデータを受信することと、送信時間期間中に、第２の無線アクセス回路での少なくとも１つの破損した順方向リンクＭＡＣチャネルのハンドリングを一時停止することとを含む。
【００１６】
[0017]本開示の別の態様は、二重アクティブモード中の受信機デセンスを軽減することができる二重ＳＩＭアクセス端末を提供する。この二重ＳＩＭアクセス端末は、第１の無線アクセス技術（ＲＡＴ）の第１の無線アクセス回路と、第２のＲＡＴの第２の無線アクセス回路と、送信時間期間中に、第１の無線アクセス回路を使用して第１のデータを送信するための手段と、送信時間期間の少なくとも一部の間に、第２の無線アクセス回路を使用して第２のデータを受信するための手段と、送信時間期間中に、第２の無線アクセス回路での少なくとも１つの破損した順方向リンクＭＡＣチャネルのハンドリングを一時停止するための手段とを含む。
【００１７】
[0018]本開示の別の態様は、コンピュータ可読記憶媒体を含むコンピュータプログラム製品を提供する。このコンピュータ可読記憶媒体は、二重アクティブモード中の受信機デセンスを軽減することができる二重ＳＩＭアクセス端末に、送信時間期間中に、第１の無線アクセス技術（ＲＡＴ）の第１の無線アクセス回路を使用して第１のデータを送信させ、送信時間期間の少なくとも一部の間に、第２のＲＡＴの第２の無線アクセス回路を使用して第２のデータを受信させ、送信時間期間中に、第２の無線アクセス回路での少なくとも１つの破損した順方向リンクＭＡＣチャネルのハンドリングを一時停止させるためのコードを含む。
【００１８】
[0019]本開示の別の態様は、二重アクティブモード中の受信機デセンスを軽減することができる二重ＳＩＭアクセス端末を提供する。この二重ＳＩＭアクセス端末は、少なくとも１つのプロセッサと、少なくとも１つのプロセッサに結合された、第１の無線アクセス技術（ＲＡＴ）の第１の無線アクセス回路と、少なくとも１つのプロセッサに結合された、第２のＲＡＴの第２の無線アクセス回路と、少なくとも１つのプロセッサに結合された、メモリとを含む。少なくとも１つのプロセッサは、送信時間期間中に、第１の無線アクセス回路を使用して第１のデータを送信し、送信時間期間の少なくとも一部の間に、第２の無線アクセス回路を使用して第２のデータを受信し、送信時間期間中に、第２の無線アクセス回路での少なくとも１つの破損した順方向リンクＭＡＣチャネルのハンドリングを一時停止するように構成される。
【００１９】
[0020]本開示の別の態様は、二重アクティブモード中の二重ＳＩＭアクセス端末での受信機デセンスを軽減する方法を提供する。この方法は、送信時間期間中に、第１の無線アクセス技術（ＲＡＴ）の第１の無線アクセス回路を使用して第１のデータを送信することと、送信時間期間の少なくとも一部の間に、第２のＲＡＴの第２の無線アクセス回路を使用して第２のデータを受信することと、第２のデータをメモリに記憶することと、第１のデータの送信によって引き起こされる第２のデータの受信に対するデセンスの度合を示すデセンス値を決定することと、デセンス値に基づいてメモリ内の第２のデータを選択的にヌリングすることとを含む。
【００２０】
[0021]本開示の別の態様は、二重アクティブモード中の受信機デセンスを軽減することができる二重ＳＩＭアクセス端末を提供する。この二重ＳＩＭアクセス端末は、第１の無線アクセス技術（ＲＡＴ）の第１の無線アクセス回路と、第２のＲＡＴの第２の無線アクセス回路と、送信時間期間中に、第１の無線アクセス回路を使用して第１のデータを送信するための手段と、送信時間期間の少なくとも一部の間に、第２の無線アクセス回路を使用して第２のデータを受信するための手段と、第２のデータをメモリに記憶するための手段と、第１のデータの送信によって引き起こされる第２のデータの受信に対するデセンスの度合を示すデセンス値を決定するための手段と、デセンス値に基づいてメモリ内の第２のデータを選択的にヌリングするための手段とを含む。
【００２１】
[0022]本開示の別の態様は、コンピュータ可読記憶媒体を含むコンピュータプログラム製品を提供する。このコンピュータ可読記憶媒体は、二重アクティブモード中の受信機デセンスを軽減することができる二重ＳＩＭアクセス端末に、送信時間期間中に、第１の無線アクセス技術（ＲＡＴ）の第１の無線アクセス回路を使用して第１のデータを送信させ、送信時間期間の少なくとも一部の間に、第２のＲＡＴの第２の無線アクセス回路を使用して第２のデータを受信させ、第２のデータをメモリに記憶させ、第１のデータの送信によって引き起こされる第２のデータの受信に対するデセンスの度合を示すデセンス値を決定させ、デセンス値に基づいてメモリ内の第２のデータを選択的にヌリングさせるためのコードを含む。
【００２２】
[0023]本開示の別の態様は、二重アクティブモード中の受信機デセンスを軽減することができる二重ＳＩＭアクセス端末を提供する。この二重ＳＩＭアクセス端末は、少なくとも１つのプロセッサと、少なくとも１つのプロセッサに結合された、第１の無線アクセス技術（ＲＡＴ）の第１の無線アクセス回路と、少なくとも１つのプロセッサに結合された、第２のＲＡＴの第２の無線アクセス回路と、少なくとも１つのプロセッサに結合された、メモリとを含む。少なくとも１つのプロセッサは、送信時間期間中に、第１の無線アクセス回路を使用して第１のデータを送信し、送信時間期間の少なくとも一部の間に、第２の無線アクセス回路を使用して第２のデータを受信し、第２のデータをメモリに記憶し、第１のデータの送信によって引き起こされる第２のデータの受信に対するデセンスの度合を示すデセンス値を決定し、デセンス値に基づいてメモリ内の第２のデータを選択的にヌリングするように構成される。
【００２３】
[0024]本発明の他の態様、特徴、および実施形態は、添付図面に関連して本発明の特定の例示的な実施形態の以下の説明を再検討する時に、当業者に明白になる。本発明の特徴が、下である種の実施形態と図面とに関して議論される場合があるが、本発明のすべての実施形態は、本明細書で議論される有利な特徴のうちの１つまたは複数を含むことができる。言い換えると、１つまたは複数の実施形態が、ある種の有利な特徴を有するものとして議論される場合があるが、そのような特徴のうちの１つまたは複数が、本明細書で議論される本発明の様々な実施形態に従って使用されることも可能である。同様の形で、例示的な実施形態が、下でデバイス実施形態、システム実施形態、または方法実施形態として議論される場合があるが、そのような例示的な実施形態が、様々なデバイス、システム、および方法において実施され得ることを理解されたい。
【図面の簡単な説明】
【００２４】
【図１】[0025]本開示のいくつかの態様による、第１のワイヤレス通信ネットワークと第２のワイヤレス通信ネットワークとで動作するように構成されたアクセス端末を示す概念図。
【図２】[0026]本開示のいくつかの態様による、アクセスネットワーク環境の例を示す概念図。
【図３】[0027]本開示のいくつかの態様による、アクセス端末で実施されるプロトコルスタックアーキテクチャの例を示すブロック図。
【図４】[0028]ＥＶ−ＤＯ受信のプリアンブルに対するデセンスを引き起こすＧＳＭ送信を示す概念図。
【図５】[0029]本開示のいくつかの態様による、アクセス端末での受信機デセンスを軽減する強制プリアンブル検出（forced preamble detection）方法を示す図。
【図６】[0030]本開示のいくつかの態様による、アクセス端末での受信機デセンスを軽減するデータレート制御（ＤＲＣ）リクエステッドベースの方法を示す図。
【図７】[0031]本開示のいくつかの態様による、図６のデセンス方法に関するさらなる詳細を示す図。
【図８】[0032]本開示のいくつかの態様による、図６のデセンス方法に関するさらなる詳細を示す図。
【図９】[0033]加害側（aggressor）のＴｘ送信に起因する順方向ＭＡＣチャネルに対するデセンスを示す概念図。
【図１０】[0034]本開示のいくつかの態様による、アクセス端末での受信機デセンスを軽減するＭＡＣチャネルベースの方法を示す図。
【図１１】[0035]本開示のいくつかの態様による、アクセス端末のうちでヌリングを実行する部分を示す機能ブロック図。
【図１２】[0036]本開示のいくつかの態様による、強誘電ＲＡＭ（ＦＥＲＡＭ）飽和ベースのヌリングアルゴリズムを示す流れ図。
【図１３】[0037]本開示のいくつかの態様による、狭帯域（ＮＢ）エネルギーエスティメータベースのヌリングアルゴリズムを示す流れ図。
【図１４】[0038]本開示のいくつかの態様による、処理システムを使用するアクセス端末のハードウェア実施態様の例を示すブロック図。
【図１５】[0039]本開示のいくつかの態様による、図１４のアクセス端末内のプロセッサの複数の機能ブロックを示す概念図。
【発明を実施するための形態】
【００２５】
[0040]下で添付図面に関連して示される詳細な説明は、様々な構成の説明として意図され、本明細書で説明される概念を実践できる唯一の構成を表すことは意図されていない。この詳細な説明は、様々な概念の完全な理解を提供するために、特定の詳細を含む。しかし、これらの概念を、これらの特定の詳細なしで実践できることは、当業者に明白である。いくつかの場合に、周知の構造および構成要素は、そのような概念を不明瞭にすることを避けるために、ブロック図形式で示される。
【００２６】
[0041]本開示全体で提示される様々な概念は、様々なワイヤレス通信システムと、ネットワークアーキテクチャと、通信標準規格とにまたがって実施され得る。これらの議論のある種の態様は、下でＧＳＭおよびＥＶ−ＤＯのプロトコルおよびシステムに関して説明され、関連する用語が、以下の説明の多くに見られる可能性がある。しかし、当業者は、本開示の１つまたは複数の態様が、１つまたは複数の他のワイヤレス通信のプロトコルおよびシステム内で使用され、これに含められ得ることを認める。
【００２７】
[0042]本開示の１つまたは複数の態様は、複数のワイヤレス通信ネットワークとの通信を可能にするように構成されたアクセス端末を提供する。通信ネットワークは、同一の無線アクセス技術（ＲＡＴ）または異なるＲＡＴを有するものとすることができる。そのようなアクセス端末の一例が、ＧＳＭネットワークとＥＶ−ＤＯネットワークとにアクセスできる二重ＳＩＭアクセス端末である。ＧＳＭ送信（「加害側」）または他の時分割多元接続（ＴＤＭＡ）タイプの送信は、性質においてバースト的であり、ＥＶ−ＤＯ受信（「犠牲側（victim）」）に対する重大なデセンスを引き起こす可能性がある。したがって、一方のＲＡＴ（たとえば、ＧＳＭ）での送信（加害側のＴｘ）が、直接（ブロッキング）干渉、高調波、相互変調、エレクトロニクス／電力増幅器の雑音などを介して他方のＲＡＴ（たとえば、ＥＶ−ＤＯ）での受信（犠牲側のＲｘ）をデセンスする可能性がある。
【００２８】
[0043]犠牲側のＲｘに対するデセンスが重大である時には、犠牲側の受信は、受信機感度劣化、呼品質劣化、呼切断および無線リンク障害のより高いレート、データスループット劣化、ならびにデータ接続の消失など、大幅に影響を受ける可能性がある。本開示のいくつかの態様によれば、アクセス端末（たとえば、二重ＳＩＭアクセス端末）は、送信と受信との間の減らされた干渉を伴って、両方のネットワーク上で同時にアクティブになることができる。犠牲側のＲｘに対するデセンスを軽減する、複数の異なる技法が、非限定的な例としてＧＳＭ加害側とＥＶ−ＤＯ犠牲側とを用いて本開示で示される。しかし、本明細書で開示される概念は、他の適切なワイヤレスネットワークに適用され得、本発明は、ＧＳＭとＥＶ−ＤＯとに限定されない。
【００２９】
[0044]本開示全体で提示される様々な概念は、様々な遠隔通信システム、ネットワークアーキテクチャ、および通信標準規格にまたがって実施され得る。図１は、第１の無線アクセス技術（ＲＡＴ）の第１のワイヤレス通信ネットワーク１０４と第２のＲＡＴの第２のワイヤレス通信ネットワーク１０６とで同時に動作することができるアクセス端末（ＡＴ）１０２を示す概念図である。一態様では、第１のＲＡＴはＧＳＭであり、第２のＲＡＴはＥＶ−ＤＯである。第１のワイヤレス通信ネットワーク１０４および第２のワイヤレス通信ネットワーク１０６は、同一のキャリアまたは異なるキャリアに関連するものとすることができる。ここで、ＡＴ  １０２は、ネットワーク１０４と１０６との両方で同時にアクティブになるように構成され得る。たとえば、ＡＴ  １０２は、第１の無線アクセス回路１１０を使用して第１のワイヤレス通信ネットワーク１０４に第１のデータ１０８を送信し、第２の無線アクセス回路１１４を使用して第２のワイヤレス通信ネットワーク１０６から第２のデータ１１２を受信する。一態様では、第１のデータ１０８は、ＧＳＭ送信（加害側のＴｘ）として送信され得、第２のデータ１１２は、ＥＶ−ＤＯ受信（犠牲側のＲｘ）として受信され得る。ここで、ＧＳＭ送信は、ＥＶ−ＤＯ受信をデセンスする可能性がある。
【００３０】
[0045]本開示の範囲内で、ＤＳＤＡアクセス端末（たとえば、ＡＴ  １０２）は、ＧＳＭネットワーク、ＵＭＴＳネットワーク、ＬＴＥネットワーク、ＣＤＭＡ２０００ネットワーク、Ｗｉ−ＭＡＸネットワーク、または任意の他の適切な無線アクセス技術（ＲＡＴ）などの１つまたは複数のワイヤレス通信ネットワークに同時にアクセスできるものとすることができる。本開示内で、ＤＳＤＡデバイス、マルチＳＩＭ／複数アクティブデバイス、または複数のＲＡＴ上で同時にアクティブになることができる任意のデバイスは、全般的にＤＳＤＡデバイスと呼ばれる。
【００３１】
[0046]図２は、本開示の１つまたは複数の態様が応用例を見出すことができるアクセスネットワーク環境の例を示す概念図である。ワイヤレス通信システム２００は、一般に、１つまたは複数の基地局２０２と、１つまたは複数のアクセス端末２０４（たとえば、ＡＴ  １０２）と、１つまたは複数の基地局制御装置（ＢＳＣ）２０６と、公衆交換電話網（ＰＳＴＮ）へのアクセス（たとえば、ｍｏｂｉｌｅ  ｓｗｉｔｃｈｉｎｇ  ｃｅｎｔｅｒ／ｖｉｓｉｔｏｒ  ｌｏｃａｔｉｏｎ  ｒｅｇｉｓｔｅｒ（ＭＳＣ／ＶＬＲ）を介して）および／またはＩＰネットワークへのアクセス（たとえば、パケットデータ交換ノード（ＰＤＳＮ）を介して）を提供するコアネットワーク２０８とを含む。システム２００は、異なるキャリア上で複数のＲＡＴ（たとえば、ＧＳＭおよびＥＶＤＯ）をサポートすることができる。ＣＤＭＡ２０００用語法が、図２のネットワーク環境のいくつかの要素について説明するのに使用される場合があるが、当業者は、ネットワーク２００が複数のＲＡＴをサポートできることを理解する。
【００３２】
[0047]基地局２０２は、基地局アンテナを介してアクセス端末（ＡＴ）２０４とワイヤレスに通信することができる。基地局２０２は、それぞれ、一般に、ワイヤレス通信システム２００へのワイヤレス接続性（１つまたは複数のＡＴ  ２０４のための）を容易にするように適合されたデバイスとして実施され得る。基地局２０２は、当業者によって、アクセスポイント、ｂａｓｅ  ｔｒａｎｓｃｅｉｖｅｒ  ｓｔａｔｉｏｎ（ＢＴＳ）、無線基地局、無線トランシーバ、トランシーバ機能、ｂａｓｉｃ  ｓｅｒｖｉｃｅ  ｓｅｔ（ＢＳＳ）、ｅｘｔｅｎｄｅｄ  ｓｅｒｖｉｃｅ  ｓｅｔ（ＥＳＳ）、Ｎｏｄｅ  Ｂ、フェムトセル、ピコセル、および／またはある他の適切な用語で呼ばれる場合もある。いくつかの態様では、基地局２０２は、同時のＧＳＭ動作とＥＶＤＯ動作とをサポートするように構成され得る。
【００３３】
[0048]基地局２０２は、１つまたは複数のキャリアを介して基地局制御装置２０６の制御の下でアクセス端末２０４と通信するように構成される。基地局２０２の各々は、それぞれの地理的区域に通信カバレージを提供することができる。各基地局２０２のカバレージエリア２１０は、ここでは、セル２１０−ａ、２１０−ｂ、または２１０−ｃとして識別される。基地局２０２のカバレージエリア２１０は、セクタ（図示せず、しかし、カバレージエリアの一部のみを構成する）に分割され得る。セクタに分割されたカバレージエリア２１０内では、カバレージエリア２１０内の複数のセクタが、アンテナのグループによって構成され得、各アンテナは、セルの一部内の１つまたは複数のアクセス端末２０４との通信の責任を負う。
【００３４】
[0049]１つまたは複数のアクセス端末２０４が、カバレージエリア２１０全体に分散させられ得、各それぞれの基地局２０２に関連する１つまたは複数のセクタとワイヤレスに通信することができる。アクセス端末２０４は、一般に、ワイヤレス信号を介して１つまたは複数の他のデバイスと通信する１つまたは複数のデバイスを含む。そのようなアクセス端末２０４は、当業者によって、ユーザ機器（ＵＥ）、移動局（ＭＳ）、加入者ステーション、モバイルユニット、加入者ユニット、ワイヤレスユニット、リモートユニット、モバイルデバイス、ワイヤレスデバイス、ワイヤレス通信デバイス、リモートデバイス、モバイル加入者ステーション、モバイル端末、ワイヤレス端末、リモート端末、送受話器、端末、ユーザエージェント、モバイルクライアント、クライアント、またはある他の適切な用語で呼ばれる場合もある。アクセス端末２０４は、モバイル端末および／または少なくとも実質的に固定された端末を含むことができる。アクセス端末２０４の例は、携帯電話、ページャ、ワイヤレスモデム、携帯情報端末、個人情報マネージャ（ＰＩＭ）、パーソナルメディアプレイヤ、パームトップコンピュータ、ラップトップコンピュータ、タブレットコンピュータ、テレビジョン、アプライアンス、ｅリーダー、デジタルビデオレコーダ（ＤＶＲ）、マシンツーマシン（Ｍ２Ｍ）デバイス、および／または少なくとも部分的にワイヤレスネットワークもしくはセルラネットワークを介して通信する他の通信／コンピューティングデバイスを含む。
【００３５】
[0050]アクセス端末２０４は、一態様ではＡＴ  １０２とすることができるが、アクセス端末２０４とワイヤレス通信システム２００の１つまたは複数のネットワークノード（たとえば、基地局２０２）との間でデータを通信するためのプロトコルスタックアーキテクチャを使用するように適合され得る。プロトコルスタックは、一般に、レイヤが、その数字指定の順で表され、転送されるデータが、その表現の順序で各レイヤによって順次処理される、通信プロトコルの階層化アーキテクチャの概念モデルを含む。絵図的には、「スタック」は、通常は垂直に示され、最低の数字指定を有するレイヤが、基部にある。図３は、アクセス端末２０４によって実施され得るプロトコルスタックアーキテクチャの例を示すブロック図である。図２と図３とを参照すると、アクセス端末２０４のプロトコルスタックアーキテクチャは、一般に３つのレイヤすなわちレイヤ１（Ｌ１）とレイヤ２（Ｌ２）とレイヤ３（Ｌ３）とを含むものとして示される。
【００３６】
[0051]レイヤ１  ３０２は、最下位レイヤであり、様々な物理レイヤ信号処理機能を実施する。レイヤ１  ３０２は、本明細書で物理レイヤ３０２とも呼ばれる。この物理レイヤ３０２は、アクセス端末２０４と基地局２０２との間の無線信号の送信と受信とを提供する。
【００３７】
[0052]レイヤ２（または「Ｌ２レイヤ」）３０４と呼ばれるデータリンクレイヤは、物理レイヤ３０２の上にあり、レイヤ３によって生成されたシグナリングメッセージの配送の責任を負う。Ｌ２レイヤ３０４は、物理レイヤ３０２によって提供されるサービスを利用する。Ｌ２レイヤ３０４は、２つのサブレイヤすなわち、媒体アクセス制御（ＭＡＣ）サブレイヤ３０６とリンクアクセス制御（ＬＡＣ）サブレイヤ３０８とを含むことができる。
【００３８】
[0053]ＭＡＣサブレイヤ３０６は、Ｌ２レイヤ３０４の下側サブレイヤである。ＭＡＣサブレイヤ３０６は、媒体アクセスプロトコルを実施し、物理レイヤ３０２によって提供されるサービスを使用して、上位レイヤのプロトコルデータ単位のトランスポートの責任を負う。ＭＡＣサブレイヤ３０６は、上位レイヤから共有されるエアインターフェースへのデータのアクセスを管理することができる。
【００３９】
[0054]ＬＡＣサブレイヤ３０８は、Ｌ２レイヤ３０４の上側サブレイヤである。ＬＡＣサブレイヤ３０８は、レイヤ３で生成されたシグナリングメッセージの正しいトランスポートと配送とを提供するデータリンクプロトコルを実施する。ＬＡＣサブレイヤは、下位レイヤ（たとえば、レイヤ１およびＭＡＣサブレイヤ）によって提供されるサービスを利用する。
【００４０】
[0055]レイヤ３  ３１０は、上位レイヤまたはＬ３レイヤと呼ばれる場合もあるが、基地局２０２とアクセス端末２０４との間の通信プロトコルのセマンティックスとタイミングとに従って、シグナリングメッセージを発し、終端する。Ｌ３レイヤ３１０は、Ｌ２レイヤによって提供されるサービスを利用する。情報（データと音声との両方）メッセージも、Ｌ３レイヤ３１０を介して渡される。
【００４１】
[0056]本開示の諸態様によれば、複数のファームウェア／ソフトウェア解決策が、ＡＴ  １０２での犠牲側のＲｘデセンスを軽減するのに使用され得る。これらの解決策は、１）力プリアンブル検出と、２）実効ＳＮＲ損失ベースのＤＲＣ要求と、３）ＭＡＣチャネルハンドリングと、４）ＦＥＲＡＭ飽和ベースのヌリングモード選択と、５）狭帯域（ＮＢ）エネルギーエスティメータベースのヌリングモード選択とを含む。これらのデセンス技法の各々が、下でより詳細に説明される。
【００４２】
力プリアンブル検出
[0057]図４は、ＥＶ−ＤＯ受信４０４のプリアンブルに対するデセンスを引き起こすＧＳＭ送信４０２を示す概念図である。図４では、ＡＴ  １０２がＥＶ−ＤＯデータのプリアンブル４０８（たとえば、データ１１２）を同時に受信する間に、ＡＴ  １０２は、ＧＳＭ（加害側のＴｘ）を使用して第１のデータ４０６（たとえば、データ１０８）を送信することができる。ここで、第１のデータ４０６の送信は、少なくとも部分的にプリアンブル４０８の受信にオーバーラップする。したがって、第１のデータ４０６の送信は、ＥＶ−ＤＯ受信４０４でのプリアンブル誤検出を引き起こす可能性がある。すなわち、プリアンブル４０８が、実質的にデセンスされる場合に、ＡＴ  １０２は、プリアンブル４０８を見逃す可能性があり、対応するパケットは、失われる。本開示の諸態様によれば、干渉するＧＳＭ送信４０２の時間期間４１０（「デセンス期間」）が、ＡＴ  １０２によって知られるので、ＡＴは、デセンス期間４１０中にプリアンブル検出が陽性（positive）になることを強制することができる。次いで、ＡＴ  １０２は、強制検出されたプリアンブルに対応するスロットの復号を試みる。実際にプリアンブルがない場合には、これは、既存標準規格において一般に既知のプリアンブル誤警報ハンドリング動作によって処理され得、通常の誤警報保護機構私のは、この潜在的状況を処理するために適用される。
【００４３】
[0058]図５は、本開示のいくつかの態様による、二重ＳＩＭアクセス端末での二重アクティブモード中の受信機デセンスを軽減する強制プリアンブル検出方法５００を示す図である。二重ＳＩＭアクセス端末は、ＡＴ  １０２とされ得る。ブロック５０２では、送信時間期間（たとえば、図４のデセンス期間４１０）中に、ＡＴ  １０２が、第１の無線アクセス技術（ＲＡＴ）（たとえば、ＧＳＭ）の第１の無線アクセス回路（たとえば、回路１１０）を使用して第１のデータ（たとえば、図４のデータ４０６）を送信することができる。ブロック５０４では、送信時間期間の少なくとも一部の間に、ＡＴ  １０２が、第２のＲＡＴ（たとえば、ＥＶ−ＤＯ）の第２の無線アクセス回路（たとえば、回路１１４）を使用して第２のデータ（たとえば、図４のデータ４０４）を受信することができる。ここで、第１のデータの送信は、第２のデータの受信をデセンスする可能性がある。ブロック５０６では、ＡＴ  １０２が、送信時間期間に基づいて第２の無線アクセス回路での第２のデータのプリアンブル検出プロセスを変更することができる。
【００４４】
[0059]ここで、ＡＴ  １０２が、加害側のＴｘ送信が犠牲側のＲｘプリアンブルに対してデセンスを引き起こす可能性がある時間期間を知っているので、ＡＴ  １０２は、この送信時間期間中にプリアンブル検出が陽性になることを強制することができる。プリアンブルが、送信時間期間中に実際には存在しない場合には、ＡＴ  １０２は、当技術分野で一般に既知の適切な誤プリアンブル保護機構を適用することができる。ＡＴ  １０２のプリアンブル解決機構では、強制されたプリアンブルは、真のプリアンブルが見逃されないことを保証するために、必ず最低の優先順位を有する。
【００４５】
実効ＳＮＲ損失ベースのＤＲＣ要求
[0060]本開示の諸態様では、犠牲側のＲｘに対するデセンスは、データレート制御（ＤＲＣ）要求内でデセンスの度合を反映することによって軽減され得る。ＥＶ−ＤＯでは、ＡＴ  １０２が、逆方向リンク上のＤＲＣチャネルを使用して、順方向リンク上で可変レートを要求することができる。順方向トラフィックチャネルの伝送レートを管理するために、順方向トラフィックチャネルＭＡＣプロトコル（たとえば、図３のＭＡＣ  ３０６）が、可変レート状態で動作することができる。可変レート状態では、順方向トラフィックチャネルは、リアルタイムで変化し得るレートで送信する。この場合に、伝送レートは、逆方向リンク上のＤＲＣチャネルを使用して、ＡＴ  １０２によって要求される。
【００４６】
[0061]犠牲側のＲｘに対するデセンスを軽減するために、ＡＴ  １０２は、ＤＲＣ要求を選択する時に、加害側のＴｘ送信によって引き起こされる追加の信号対雑音（ＳＮＲ）損失を考慮することができる。既知の加害側のＴｘ送信タイムラインを考慮して、ＡＴ  １０２は、所与のＤＲＣ要求に関してデセンスされるサンプルの推定されるパーセンテージを返す関数を利用することができ、このパーセンテージは、実効ＳＮＲ損失に変換され得る。ＡＴ  １０２のレートプレディクタでは、ＡＴは、実効ＳＮＲをしきい値と比較する前に、実効ＳＮＲを入手するために、予測されたＳＮＲに実効ＳＮＲ損失を加算することができる。各ＤＲＣレートは、ＳＮＲの関数であるそれ自体のしきい値を有することができる。したがって、長いＤＲＣまたは短いＤＲＣに関するプリファレンスは、当然、ＤＲＣ要求に反映され、犠牲側のＲｘに対するデセンスは、ＤＲＣ要求を使用して軽減され得る。
【００４７】
[0062]図６は、本開示のいくつかの態様による、二重ＳＩＭアクセス端末での二重アクティブモード中の受信機デセンスを軽減するＤＲＣ要求ベースの方法６００を示す図である。ブロック６０２では、ＡＴ  １０２が、第１のＲＡＴ（たとえば、ＧＳＭ）の第１の無線アクセス回路を使用して第１のデータ６０６を送信するための送信時間期間６０４を決定する。送信時間期間６０４中に、ＡＴ  １０２は、第２のＲＡＴ（たとえば、ＥＶ−ＤＯ）の第２の無線アクセス回路（たとえば、図１の回路１１４）を使用して、第２のデータ６１０を同時に受信することができる。したがって、第１のデータ６０６の送信は、第２のデータ６１０の少なくとも一部をデセンスする可能性がある。ブロック６０８では、ＡＴ  １０２が、送信時間期間６０４中の第１のデータ６０６の送信によって干渉される（たとえば、デセンスされる）第２のデータ６１０のパーセンテージを推定する。第１の無線アクセス回路の送信開始／終了時刻と第２の無線アクセス回路の受信開始／終了時刻の両方が、既知であり、その結果、干渉のパーセンテージが、推定され得るようになる。ここで、第２のデータ６１０は、第２のＲＡＴを使用して受信されることになる。ブロック６１２では、ＡＴ  １０２が、ブロック６０８で推定されたパーセンテージに基づいて、実効信号対雑音比（ＳＮＲ）を決定する。たとえば、実効ＳＮＲは、予測されたＳＮＲと、推定されたパーセンテージに基づく実効ＳＮＲ損失との合計である。ブロック６１４では、ＡＴ  １０２が、第２の無線アクセス回路を使用して実効ＳＮＲに基づいてＤＲＣ要求を送信する。ＡＴ  １０２は、ＤＲＣＬｅｎｇｔｈ個のスロットごとに１回、ＤＲＣ要求を送信することができる。ＤＲＣ要求は、指定された個数のスロットごとに１回、ＤＲＣチャネル上で送信される４ビット値（ＤＲＣ値）を有する。単一のＤＲＣ値が送信されるスロットの個数は、パラメータＤＲＣＬｅｎｇｔｈによって指定される。
【００４８】
[0063]図７は、デセンス方法６００のさらなる詳細を示す図である。一態様では、ブロック６１４は、ブロック７００とブロック７０２とをさらに含むことができる。ブロック７００では、ＡＴ  １０２が、送信時間期間６０４中の第２のデータの受信に関する予測されたＳＮＲを決定し、ブロック７０２では、ＡＴ  １０２が、実効ＳＮＲ損失と予測されたＳＮＲとの合計に基づいてＤＲＣ要求の値を決定する。図８は、デセンス方法６００のさらなる詳細を示す図である。一態様では、ブロック６１２は、ブロック８０２とブロック８０４とを含むことができる。ブロック８０２では、ＡＴ  １０２が、第２のデータ６１０の受信に関する複数のＳＮＲを決定することができる。各ＳＮＲは、送信時間期間６０４の始めが、第２のデータ６１０の受信に対応するＤＲＣＬｅｎｇｔｈ個数のスロットのうちの異なる１つに位置合せされるケースに対応する。ブロック８０４では、ＡＴ  １０２が、ＳＮＲの中の最悪ＳＮＲを実効ＳＮＲとして選択する。したがって、ＡＴ  １０２は、ＤＲＣ要求を選択する時に、加害側のＴｘ送信によって引き起こされる追加の信号対雑音（ＳＮＲ）損失を考慮することによって、デセンスを軽減することができる。
【００４９】
ＭＡＣチャネルハンドリング
[0064]本開示のいくつかの態様では、ＡＴ  １０２は、破損したＭＡＣチャネル受信に対する影響を除去しまたは減らすことによって、デセンスを軽減することができる。たとえば、ＥＶ−ＤＯシステムでは、パイロットチャネル、順方向トラフィックチャネル／制御チャネル、およびＭＡＣチャネルなど、異なるチャネルが、順方向リンク上で使用される。ＭＡＣチャネルは、逆方向アクティビティサブチャネル（ＲＡＣ：Reverse Activity sub-channel）、データレート制御（ＤＲＣ）ロックサブチャネル、および逆方向電力制御（ＲＰＣ：Reverse Power Control）サブチャネルを含む。図９は、加害側のＴｘ送信に起因する順方向リンクＭＡＣチャネルに対するデセンスを示す図である。図９では、ＡＴ  １０２は、第１のチャネル９０４（加害側のＴｘ）上で第１のデータ９０２を送信し、順方向ＭＡＣチャネル９０８から第２のデータ９０６を同時に受信することができる。送信時間期間９１０中に、第１のデータ９０２の送信が、ＭＡＣチャネル９０８をデセンスする可能性がある。ＡＴ  １０２は、加害側のＴｘの送信時間期間（たとえば、９１０）を知っているので、破損したＭＡＣチャネル受信に起因する影響は、デセンスを軽減するために、この期間中に一時停止されまたは無視され得る。
【００５０】
[0065]ＤＲＣロックサブチャネルは、ＤＲＣ情報がネットワークで正しく復号されたか否かをＡＴ  １０２に示す。単一のビットが、アクティブＡＴごとに使用される。破損したＤＲＣロック受信に起因する影響を軽減するために、ＡＴ  １０２は、既知の加害側のＴｘの送信時間期間（たとえば、９１０）中に、このサブチャネルの破損した部分を蓄積するのを差し控えることができる。
【００５１】
[0066]ＲＡＣは、逆方向リンク（ＲＬ）ローディングが多すぎるかどうかを示し、多すぎる場合には、ＡＴ  １０２は、ＲＬ上のそのデータレートを下げる。ＲＡＣは、逆方向アクティビティビット（ＲＡＢ）を担持する。単一のＲＡＢがそれを介して送信されるスロットの個数は、パラメータＲＡＢＬｅｎｇｔｈによって指定される。破損したＲＡＣ受信に起因する影響を軽減するために、ＡＴ  １０２は、既知の加害側のＴｘ送信時間期間（たとえば、９１０）中にＲＡＢフィルタを更新することを差し控えることができる。
【００５２】
[0067]ＲＰＣサブチャネルは、ＡＴの逆方向リンク送信を電力制御するのに使用される。ＲＰＣサブチャネルは、そのために電力制御ビットを送信するのに使用される。逆方向リンクの品質は、ＲＰＣチャネルの品質に依存する。逆方向リンクの品質を保証するために、システムは、ＲＰＣチャネルがＡＴ  １０２によって正しく受信されることを確実にする必要がある。破損したＲＰＣチャネル受信に起因する影響を軽減するために、ＡＴ  １０２は、既知の加害側のＴｘ送信時間期間（たとえば、９１０）中に、ＲＬ電力制御決定が保持するようにセットすることができる。
【００５３】
[0068]図１０は、本開示のいくつかの態様による、二重ＳＩＭアクセス端末での二重アクティブモード中の受信機デセンスを軽減するＭＡＣチャネルベースの方法１０００を示す図である。ブロック１００２では、ＡＴ  １０２が、送信時間期間９１０中に、第１のＲＡＴ（たとえば、ＧＳＭ）の第１の無線アクセス回路（たとえば、回路１１０）を使用して第１のデータを送信する。ブロック１００４では、ＡＴ  １０２が、送信時間期間９１０の少なくとも一部の間に、第２のＲＡＴ（たとえば、ＥＶ−ＤＯ）の第２の無線アクセス回路（たとえば、回路１１４）を使用して第２のデータを受信する。ブロック１００６では、ＡＴ  １０２が、送信時間期間９１０中に、第２の無線アクセス回路での少なくとも１つの破損した順方向リンクＭＡＣチャネル（たとえば、ＲＡＣ、ＤＲＣロックサブチャネル、およびＲＰＣサブチャネル）のハンドリングを一時停止する。いくつかの態様では、送信する期間９１０中に、ＡＴ  １０２は、第２の無線アクセス回路でのＤＲＣＬｏｃｋチャネルの破損した部分の蓄積を差し控え、逆方向アクティビティチャネルフィルタの更新を差し控え、または逆方向リンク電力制御決定を一時停止することができる。
【００５４】
ＦＥＲＡＭ飽和ベースのヌリングおよび狭帯域エネルギーエスティメータベースのヌリング
[0069]本開示の諸態様では、デセンスは、デセンス期間中に受信されるデータサンプル（たとえば、ＥＶ−ＤＯデータ）のヌリング（たとえば、ゼロにリセットすること）によって軽減され得る。既知の加害側のＴｘの送信時間期間を考慮して、ヌリング決定は、高いデセンスレベルと低いデセンスレベルとについて異なって実行され得る。低いデセンスレベルについて、ＡＴ  １０２は、データがまだ有効な情報を含む可能性があるので、データサンプルをヌリングしないことを好むことができる。高いデセンスレベルについて、ＡＴ  １０２私のは、サンプルがデセンスに起因する雑音によって支配されるので、データサンプルをヌリングすることを好む。２つのヌリングモード選択手法は、下で非限定的な例として示される。しかしながら、本開示は、開示されるヌリング手法に限定されない。他の適切なヌリング手法が、使用され得る。
【００５５】
[0070]図１１は、本開示のいくつかの態様による、ＡＴ  １０２のうちでヌリングを実行するのに利用できる部分を示す機能ブロック図である。ＡＴ  １０２は、第２の無線回路１１４に含まれるかこれに接続され得るＲＦフロントエンド１１０２を含む。ＲＦフロントエンド１１０２は、第２のデータ１１２を受信し、受信されたデータに対応する信号を出力するのに使用され得る。ＲＦフロントエンド１１０２は、デジタル可変利得増幅器（ＤＶＧＡ）１１０４と狭帯域（ＮＢ）電力エスティメータ１１０６との入力に動作可能に接続される。ＤＶＧＡ  １１０４の利得は、ＤＶＧＡ＿ＧＡＩＮ制御信号によって制御され得る。ＤＶＧＡ  １１０４の出力は、ＮＢ電力エスティメータ１１０６とプログラマブル切捨ユニット１１０８とに動作可能に接続される。プログラマブル切捨ユニット１１０８の出力は、強誘電ＲＡＭ（ＦＥＲＡＭ）１１１０に動作可能に接続される。受信された第２のデータ１１２に対応するデータサンプルは、ＦＥＲＡＭ  １１１０に記憶される。さらに、ＡＴ  １０２は、ＦＥＲＡＭ  １１１０からデータを受け取ることができるローカルランダムアクセスメモリ（ＬＲＡＭ）１１１４を含むベクトル処理エンジン（ＶＰＥ）１１１２を含むことができる。
【００５６】
[0071]図１２は、本開示のいくつかの態様による、ＦＥＲＡＭ飽和ベースのヌリングアルゴリズム１２００を示す流れ図である。ステップ１２０２では、ＡＴ  １０２が、受信された犠牲側のデータサンプル（たとえば、ＥＶ−ＤＯサンプル）をＦＥＲＡＭ  １１１０に記憶する。ステップ１２０４では、加害側の送信（たとえば、ＧＳＭバースト）ごとに、ＡＴ  １０２が、飽和したＦＥＲＡＭ  Ｉ／Ｏサンプルの比率を測定する。ヌリングは、ＦＥＲＡＭ  １１１０で記憶されたＩ／Ｑサンプルの飽和比に基づいて決定され得る。ステップ１２０６では、比率が、１タップ無限インパルス応答（ＩＩＲ）フィルタ（たとえば、アルファは１／１２８とされ得る）を用いてフィルタリングされ得る。飽和比は、データをヌリングすべきか否かを決定するために、しきい値と比較され得る。一態様では、しきい値は、ヌリングをトリガするために２０％飽和をセットされ得る。いくつかの態様では、ヒステリシスが、モード切替に適用され得る。たとえば、高ヒステリシス値（たとえば、０．３）および低ヒステリシス値（たとえば、０．２）が、モード切替を決定するのに使用され得る。しかし、他の適切な上側ヒステリシス値および下側ヒステリシス値が、使用され得る。
【００５７】
[0072]ステップ１２０８では、ＡＴ  １０２は、ＡＴ  １０２が現在はヌリングモードではない場合にはステップ１２１０に継続し、ＡＴ  １０２が現在はヌリングモードである場合にはステップ１２１２に継続する。ステップ１２１０で、フィルタリングされた出力が高ヒステリシス値を超える時には、ＡＴ  １０２は、ステップ１２１４でヌリングモードに入る。ヌリングモードの場合には、ＡＴ  １０２は、ＦＥＲＡＭ  １１１０内のサンプルをヌルにすることができる。ステップ１２１２で、フィルタリングされた出力が低ヒステリシス値未満である時には、ＡＴ  １０２は、ステップ１２１６でヌリングモードから抜ける。
【００５８】
[0073]図１３は、本開示のいくつかの態様による、狭帯域エネルギーエスティメータベースのヌリングアルゴリズム１３００を示す流れ図である。ステップ１３０２では、ＡＴ  １０２は、ＤＶＧＡ  １１０４の前の犠牲側のデータサンプルのエネルギーを推定するのに、ＮＢエネルギーエスティメータ１１０６のフィードフォワードモードを使用することができる。エネルギーエスティメータ１１０６は、既知の加害側の送信するタイムラインに基づいて、デセンス期間が始まる時に蓄積を開始し、デセンス期間が終了するまで蓄積するように構成され得る。タイミングは、ＡＴ  １０２のファームウェアまたはソフトウェアによって制御され得る。ＡＴ  １０２が、デセンス時間期間のタイミングを知っているので、ＡＴ  １０２は、この時間期間中に１サンプルあたりの平均エネルギーを計算することができる。加害側のＴｘがＧＳＭであり、犠牲側のＲｘがＥＶ−ＤＯである例では、ＧＳＭアップリンクスロットあたりに１つの値が、計算され得る。ＥＶ−ＤＯでは、ヌリングは、フロントエンドランダムアクセスメモリ（ＦＥＲＡＭ）またはローカルランダムアクセスメモリ（ＬＲＡＭ）内のデータサンプルをリセットすることによって実行され得る。値は、適度に長い時定数（たとえば、１００ｍｓ）を有する単一タップＩＩＲフィルタを用いてフィルタリングされ得る。フィルタリングされた出力は、モード（すなわち、ヌリングまたはヌリングなし）を決定するために、適切なしきい値と比較される。ヒステリシスが、ピンポン効果を防ぐために使用され得る。
【００５９】
[0074]ステップ１３０４では、ＡＴ  １０２のファームウェアが、１／２スロットごとにウェイクアップすることができる。ステップ１３０６では、ＮＢエネルギーエスティメータ１１０６が、前のサイクルでデセンス測定に使用されたか否かが決定される。アルゴリズム１３００は、ＮＢエネルギーエスティメータ１１０６が、前のサイクルでデセンス測定に使用された場合にはステップ１３０８に移動し、前のサイクルでデセンス測定に使用されなかった場合にはステップ１３１０に移動する。ステップ１３１０では、ファームウェアが、ファームウェアが次にウェイクアップする時の前にデセンスサイクルが始まるかどうかをチェックするのに、ＧＳＭアップリンクタイムライン情報を使用することができる。アルゴリズム１３００は、ステップ１３１０での決定に基づいて、ステップ１３１２またはステップ１３１４に移動する。
【００６０】
[0075]ステップ１３１２では、ファームウェアは、ファームウェアが次にウェイクアップする前に、デセンスサイクルが始まると決定した。したがって、ファームウェアは、デセンスされる時間期間を包含するために、ＮＢエネルギーエスティメータ１１０６を開始／停止モードに構成する。この時間中には、ＮＢエネルギーエスティメータ１１０６は、他の測定（たとえば、ＲｘＡＧＣ関連測定）に使用されなくなる。ステップ１３１４では、ファームウェアは、ファームウェアが次にウェイクアップする時の前に、デセンスサイクルが始まらないと決定した。したがって、ファームウェアは、他の測定を行うようにＮＢエネルギーエスティメータ１１０６を構成することができる。
【００６１】
[0076]ステップ１３０８では、ファームウェアは、ＮＢエネルギーエスティメータ１１０６が、前のウェイクアップサイクルにデセンス測定に使用されたと決定した。デセンス測定が前のサイクル内に完了した場合には、アルゴリズム１３００は、ステップ１３１６に移動し、そうでない場合には、ステップ１３１８に移動する。ステップ１３１６では、ファームウェアが、測定されたデータをＮＢエネルギーエスティメータ１１０６から収集し、他の測定を行うようにＮＢエネルギーエスティメータ１１０６を戻してセットする。測定されたデータは、データサンプルあたりの平均エネルギーを計算し、フィルタリングされ、ヌリングすべきか否かを決定するのに使用され得る。ステップ１３１８では、ファームウェアは、ＮＢエネルギーエスティメータ１１０６のセッティングを変更しない。このサイクルでは、ファームウェアは、デセンス測定に関してＮＢエネルギーエスティメータ１１０６を使用し続ける。
【００６２】
[0077]様々なデセンスの装置、方法、およびアルゴリズムが、上で、限定ではなく例示のために説明された。さらに、デセンス方法は、別々にまたは様々な組合せで適用され得る。
【００６３】
[0078]図１４は、処理システム１４０２を使用するアクセス端末１４００（たとえば、ＡＴ  １０２）のハードウェア実施態様の例を示すブロック図である。本開示の様々な態様によれば、要素、要素の任意の部分、または要素の任意の組合せが、１つまたは複数のプロセッサ１４０４を含む処理システム１４０２を用いて実施され得る。プロセッサ１４０４の例は、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲーテッドロジック、ディスクリートハードウェア回路、および本開示全体で説明される様々な機能性を実行するように構成された他の適切なハードウェアを含む。
【００６４】
[0079]この例では、処理システム１４０２は、バス１４０６によって全般的に表されるバスアーキテクチャを用いて実施され得る。バス１４０６は、処理システム１４０２の特定の応用例と全体的な設計制約とに依存する、任意の個数の相互接続するバスおよびブリッジを含むことができる。バス１４０６は、１つもしくは複数のプロセッサ（プロセッサ１４０４によって全般的に表される）と、メモリ１４０８と、コンピュータ可読媒体（コンピュータ可読媒体１４１０によって全般的に表される）と、１つもしくは複数のＵＳＩＭ（たとえば、二重のＵＳＩＭ  １４１２と１４１４と）とを含む様々な回路またはコンポーネントを一緒にリンクする。バス１４０６は、タイミングソース、周辺機器、電圧レギュレータ、および電力管理回路など、当技術分野で周知であり、したがってこれ以上は説明されない様々な他の回路をもリンクすることができる。バスインターフェース１４１６は、バス１４０６とトランシーバ１４１８（たとえば、複数のトランシーバ）との間のインターフェースを提供する。各トランシーバ１４１８は、伝送媒体を介して様々な他の装置と通信するための手段を提供する。
【００６５】
[0080]２つのＵＳＩＭ  １４１２と１４１４を含む図示されたＡＴ  １０２などの二重ＳＩＭデバイスのいくつかの例では、各ＵＳＩＭは、異なるＲＡＴ（たとえば、ＧＳＭおよびＥＶ−ＤＯ）にアクセスするためにトランシーバ１４１８のうちの対応する１つによって利用され得る。たとえば、あるトランシーバ１４１８は、第１のワイヤレス通信ネットワーク１０４にアクセスするのに使用され得、別のトランシーバ１４１８は、第２のワイヤレス通信ネットワーク１０６にアクセスするのに使用され得る。
【００６６】
[0081]装置の性質に応じて、ユーザインターフェース１４２０（たとえば、キーパッド、ディスプレイ、スピーカ、マイクロホン、ジョイスティック）も、提供され得る。プロセッサ１４０４は、バス１４０６の管理と、コンピュータ可読媒体１４１０に記憶されたソフトウェアの実行を含む全般的な処理との責任を負う。ソフトウェアは、プロセッサ１４０４によって実行された時に、処理システム１４０２に、上で任意の特定の装置について説明されたものを含む様々なデセンス機能１４２２を実行させる。コンピュータ可読媒体１４１０は、ソフトウェアを実行する時にプロセッサ１４０４によって操作されるデータを記憶するのにも使用され得る。
【００６７】
[0082]処理システム内の１つまたは複数のプロセッサ１４０４は、ソフトウェアを実行することができる。ソフトウェアは、ソフトウェア、ファームウェア、ミドルウェア、マイクロコード、ハードウェア記述言語、または他のいずれとして呼ばれる場合であっても、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サーブルーチン、オブジェクト、実行可能ファイル、実行のスレッド、手続き、関数、その他を意味するものとして幅広く解釈されなければならない。ソフトウェアは、コンピュータ可読媒体１４１０上に存在することができる。コンピュータ可読媒体１４１０は、非一時的コンピュータ可読媒体とすることができる。非一時的なコンピュータ可読媒体は、たとえば、磁気ストレージデバイス（たとえば、ハードディスク、フロッピー（登録商標）ディスク、磁気ストリップ）、光ディスク（たとえば、コンパクトディスク（ＣＤ）またはデジタル多用途ディスク（ＤＶＤ））、スマートカード、フラッシュメモリデバイス（たとえば、カード、スティック、またはキードライブ）、ランダムアクセスメモリ（ＲＡＭ）、読取専用メモリ（ＲＯＭ）、プログラマブルＲＯＭ（ＰＲＯＭ）、消去可能ＰＲＯＭ（ＥＰＲＯＭ）、電気的消去可能ＰＲＯＭ（ＥＥＰＲＯＭ（登録商標））、レジスタ、リムーバブルディスク、ならびにコンピュータによってアクセスされ読み取られ得るソフトウェアおよび／または命令を記憶する任意の他の適切な媒体を含む。コンピュータ可読媒体１４１０は、処理システム１４０２内に、処理システム１４０２の外部に存在し、あるいは、処理システム１４０２を含む複数のエンティティにまたがって分散され得る。コンピュータ可読媒体１４１０を、コンピュータプログラム製品内で実施することができる。例として、コンピュータプログラム製品は、パッケージング材料内にコンピュータ可読媒体を含むことができる。当業者は、特定の応用例およびシステム全体に課せられる全体的な設計制約に依存して、本開示全体で提示される説明される機能性をどのようにして最もよく実施すべきかを認めるであろう。
【００６８】
[0083]図１５は、本開示のいくつかの態様による、プロセッサ１４０４のいくつかの機能ブロックを示す概念図である。プロセッサ１４０４は、中央処理装置（ＣＰＵ）１５００と、強制プリアンブルデセンス回路網１５０２と、ＤＲＣ要求ベースのデセンス回路網１５０４と、ＭＡＣチャネルベースのデセンス回路網１５０６と、ＦＥＲＡＭ飽和ベースのヌリングモード選択回路網１５０８と、ＮＢエネルギーエスティメータベースのヌリングモード選択回路網１５１０とを含むことができる。ＣＰＵ  １５００は、様々な一般的な処理タスクを実行するための手段を提供することができる。強制プリアンブルデセンス回路網１５０２は、アクセス端末（たとえば、ＡＴ  １０２）での受信機デセンスを軽減するために図５の強制プリアンブル検出方法を実行するための手段を提供することができる。ＤＲＣ要求ベースのデセンス回路網１５０４は、アクセス端末での受信機デセンスを軽減するために図６〜図８のＤＲＣリクエステッドベースの方法を実行するための手段を提供することができる。ＭＡＣチャネルベースのデセンス回路網１５０６は、アクセス端末での受信機デセンスを軽減するために図１０のＭＡＣチャネルベースの方法を実行するための手段を提供することができる。ＦＥＲＡＭ飽和ベースのヌリングモード選択回路網１５０８は、図１２のＦＥＲＡＭ飽和ベースのヌリングアルゴリズムを実行するための手段を提供することができる。ＮＢエネルギーエスティメータベースのヌリングモード選択回路網１５１０は、図１３のＮＢエネルギーエスティメータベースのヌリングアルゴリズムを実行するための手段を提供することができる。
【００６９】
[0084]一構成では、ワイヤレス通信のためのアクセス端末（たとえば、ＡＴ  １０２）は、送信時間期間中に、第１の無線アクセス回路（たとえば、回路１１０）を使用して第１のデータ（たとえば、データ１０８）を送信するための手段と、送信時間期間の少なくとも一部の間に、第２の無線アクセス回路（たとえば、回路１１４）を使用して第２のデータ（たとえば、データ１１４）を受信するための手段と、受信された第２のデータに基づいて第２の無線アクセス回路でのプリアンブル検出プロセスを選択的に変更するための手段とを含む。
【００７０】
[0085]別の構成では、アクセス端末（たとえば、ＡＴ  １０２）は、第１の無線アクセス回路（たとえば、回路１１０）を使用して第１のデータ（たとえば、データ１０８）を送信するための送信時間期間を決定するための手段と、送信時間期間中の第１のデータの送信によって干渉される第２のデータ（たとえば、データ１１２）のパーセンテージを推定するための手段と、第２のデータは第２の無線アクセス回路（たとえば、回路１１４）を使用して受信される、推定されたパーセンテージに基づいて、実効ＳＮＲを決定するための手段と、第２の無線アクセス回路を使用して実効ＳＮＲに基づいてＤＲＣ要求を送信するための手段とを含む。
【００７１】
[0086]別の構成では、アクセス端末（たとえば、ＡＴ  １０２）は、送信時間期間中に、第１の無線アクセス回路（たとえば、回路１１０）を使用して第１のデータ（たとえば、データ１０８）を送信するための手段と、送信時間期間の少なくとも一部の間に、第２の無線アクセス回路（たとえば、回路１１４）を使用して第２のデータ（たとえば、データ１１２）を受信するための手段と、送信時間期間中に、第２の無線アクセス回路での少なくとも１つの破損した順方向リンクＭＡＣチャネルのハンドリングを一時停止するための手段とを含む。
【００７２】
[0087]別の構成では、アクセス端末（たとえば、ＡＴ  １０２）は、送信時間期間中に、第１の無線アクセス回路（たとえば、回路１１０）を使用して第１のデータ（たとえば、データ１０８）を送信するための手段と、送信時間期間の少なくとも一部の間に、第２の無線アクセス回路（たとえば、回路１１４）を使用して第２のデータ（たとえば、データ１１２）を受信するための手段と、第２のデータをメモリに記憶するための手段と、第１のデータの送信によって引き起こされる第２のデータの受信に対するデセンスの度合を示すデセンス値を決定するための手段と、デセンス値に基づいてメモリ内の第２のデータを選択的にヌリングするための手段とを含む。
【００７３】
[0088]一態様では、前述の手段は、前述の手段によって列挙された機能を実行するように構成されたプロセッサ１４０４とされ得る。別の態様では、前述の手段は、前述の手段によって列挙された機能を実行するように構成されたモジュールまたは任意の装置とされ得る。
【００７４】
[0089]遠隔通信システムの複数の態様が、ＧＳＭシステムとＥＶ−ＤＯシステムとを参照して提示された。当業者は、本開示全体で説明された様々な態様が、他の遠隔通信システムと、ネットワークアーキテクチャと、通信標準規格とに拡張され得ることをたやすく認める。例として、様々な態様は、ＵＭＴＳ（ＦＤＤ、ＴＤＤ）、Ｌｏｎｇ  Ｔｅｒｍ  Ｅｖｏｌｕｔｉｏｎ（ＬＴＥ）（ＦＤＤ、ＴＤＤ、または両方のモードの）、ＬＴＥ−Ａｄｖａｎｃｅｄ（ＬＴＥ−Ａ）（ＦＤＤ、ＴＤＤ、または両方のモードの）、ＣＤＭＡ２０００、エボリューションデータオプティマイズド（ＥＶ−ＤＯ：Evolution-Data Optimized）、Ｕｌｔｒａ  Ｍｏｂｉｌｅ  Ｂｒｏａｄｂａｎｄ（ＵＭＢ）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、Ｕｌｔｒａ−Ｗｉｄｅｂａｎｄ（ＵＷＢ）、Ｂｌｕｅｔｏｏｔｈ（登録商標）、および／または他の適切なシステムを使用するシステムに拡張され得る。使用される実際の遠隔通信標準規格、ネットワークアーキテクチャ、および／または通信標準規格は、特定の応用例と、システムに課せられる全体的な設計制約とに依存する。
【００７５】
[0090]開示された方法のステップの特定の順序または階層が、例示的なプロセスの実例であることを理解されたい。設計プリファレンスに基づいて、方法のステップの特定の順序または階層が、再配置され得ることを理解されたい。添付の方法請求項は、サンプルの順序で様々なステップの要素を表し、特に列挙されない限り、提示された特定の順序または階層に限定することは意図されていない。
【００７６】
[0091]前の説明は、当業者が、本明細書で説明される様々な態様を実践することを可能にするために提供されるものである。これらの態様に対する様々な変更は、当業者にたやすく明白になり、本明細書で定義される包括的な原理は、他の態様に適用され得る。したがって、特許請求の範囲は、本明細書で示される態様に限定されることを意図されたものではなく、請求項の言葉と一貫するすべての範囲に従わなければならず、単数形での要素への言及は、そうではないと特に述べられない限り、「１つのみ」を意味するのではなく、「１つまたは複数」を意味することが意図されている。そうではないと特に述べられない限り、「いくつかの」という用語は、１つまたは複数を指す。項目のリスト「の少なくとも１つ」に言及する句は、単一のメンバを含むこれらの項目のすべての組合せを指す。例として、「ａ、ｂ、またはｃのうちの少なくとも１つ」は、ａ、ｂ、ｃ、ａとｂと、ａとｃと、ｂとｃと、ならびにａとｂとｃとを含むことが意図されている。既知または今後に当業者に既知になる、本開示全体で説明された様々な態様の要素に対するすべての構造的同等物および機能的同等物は、参照によって本明細書に特に組み込まれ、特許請求の範囲によって包含されることが意図されている。さらに、本明細書で開示されるもののどれもが、そのような開示が特許請求の範囲に特に列挙されるかどうかにかかわらず、公に捧げられることを意図されていない。請求項要素のいずれもが、その要素が「するための手段」という句を使用して特に列挙されない限り、または、方法クレームの場合に、その要素が「ためのステップ」という句を使用して列挙されない限り、米国特許法第１１２条の規定の下で解釈されてはならない。
以下に本願出願当初の特許請求の範囲を付記する。
[Ｃ１]  送信時間期間中に、第１の無線アクセス技術（ＲＡＴ）の第１の無線アクセス回路を使用して第１のデータを送信することと、
前記送信時間期間の少なくとも一部の間に、第２のＲＡＴの第２の無線アクセス回路を使用して第２のデータを受信することと、
前記送信時間期間に基づいて前記第２の無線アクセス回路での前記第２のデータのプリアンブル検出プロセスを変更することと
を含む、二重ＳＩＭアクセス端末での二重アクティブモード中の受信機デセンスを軽減する方法。
[Ｃ２]  前記第１のＲＡＴは、グローバルシステムフォーモバイルコミュニケーションズ（ＧＳＭ（登録商標））であり、前記第２のＲＡＴは、エボリューションフォーデータオプティマイズド（ＥＶ−ＤＯ）である、Ｃ１に記載の方法。
[Ｃ３]  前記プリアンブル検出プロセスの前記変更は、前記送信時間期間中にプリアンブル検出が陽性になることを強制することを含む、Ｃ１に記載の方法。
[Ｃ４]  前記プリアンブル検出プロセスの前記変更は、プリアンブルが存在しない場合に、誤プリアンブル保護機構を適用することを含む、Ｃ３に記載の方法。
[Ｃ５]  第１の無線アクセス技術（ＲＡＴ）の第１の無線アクセス回路と、
第２のＲＡＴの第２の無線アクセス回路と、
送信時間期間中に、前記第１の無線アクセス回路を使用して第１のデータを送信するための手段と、
前記送信時間期間の少なくとも一部の間に、前記第２の無線アクセス回路を使用して第２のデータを受信するための手段と、
前記送信時間期間に基づいて前記第２の無線アクセス回路でのプリアンブル検出プロセスを選択的に変更するための手段と
を含む、二重アクティブモード中の受信機デセンスを軽減することができる二重ＳＩＭアクセス端末。
[Ｃ６]  二重アクティブモード中の受信機デセンスを軽減することができる二重ＳＩＭアクセス端末に、
送信時間期間中に、第１の無線アクセス技術（ＲＡＴ）の第１の無線アクセス回路を使用して第１のデータを送信させ、
前記送信時間期間の少なくとも一部の間に、第２のＲＡＴの第２の無線アクセス回路を使用して第２のデータを受信させ、
前記送信時間期間に基づいて前記第２の無線アクセス回路でのプリアンブル検出プロセスを選択的に変更させる
ためのコードを含むコンピュータ可読記憶媒体を含む、コンピュータプログラム製品。
[Ｃ７]  少なくとも１つのプロセッサと、
前記少なくとも１つのプロセッサに結合された、第１の無線アクセス技術（ＲＡＴ）の第１の無線アクセス回路と、
前記少なくとも１つのプロセッサに結合された、第２のＲＡＴの第２の無線アクセス回路と、
前記少なくとも１つのプロセッサに結合された、メモリと
を含み、ここにおいて、前記少なくとも１つのプロセッサは、
送信時間期間中に、前記第１の無線アクセス回路を使用して第１のデータを送信し、
前記送信時間期間の少なくとも一部の間に、前記第２の無線アクセス回路を使用して第２のデータを受信し、
前記送信時間期間に基づいて前記第２の無線アクセス回路でのプリアンブル検出プロセスを選択的に変更する
ように構成される、
二重アクティブモード中の受信機デセンスを軽減することができる二重ＳＩＭアクセス端末。
[Ｃ８]  前記第１のＲＡＴは、グローバルシステムフォーモバイルコミュニケーションズ（ＧＳＭ）であり、前記第２のＲＡＴは、エボリューションフォーデータオプティマイズド（ＥＶ−ＤＯ）である、Ｃ７に記載の二重ＳＩＭアクセス端末。
[Ｃ９]  前記少なくとも１つのプロセッサは、前記送信時間期間中にプリアンブル検出が陽性になることを強制するように構成される、Ｃ７に記載の二重ＳＩＭアクセス端末。
[Ｃ１０]  前記少なくとも１つのプロセッサは、プリアンブルが存在しない場合に、誤プリアンブル保護機構を適用するようにさらに構成される、Ｃ９に記載の二重ＳＩＭアクセス端末。
[Ｃ１１]  第１の無線アクセス技術（ＲＡＴ）の第１の無線アクセス回路を使用して第１のデータを送信するための送信時間期間を決定することと、
前記送信時間期間中の前記第１のデータの前記送信によって干渉される第２のデータのパーセンテージを推定することと、前記第２のデータは第２のＲＡＴの第２の無線アクセス回路を使用して受信される、
前記推定されたパーセンテージに基づいて、実効信号対雑音比（ＳＮＲ）を決定することと、
前記第２の無線アクセス回路を使用して前記実効ＳＮＲに基づいてＤＲＣ要求を送信することと
を含む、二重アクティブモード中の二重ＳＩＭアクセス端末での受信機デセンスを軽減する方法。
[Ｃ１２]  前記第１のＲＡＴは、グローバルシステムフォーモバイルコミュニケーションズ（ＧＳＭ）であり、前記第２のＲＡＴは、エボリューションフォーデータオプティマイズド（ＥＶ−ＤＯ）である、Ｃ１１に記載の方法。
[Ｃ１３]  前記送信は、ＤＲＣＬｅｎｇｔｈ個数のスロットごとに１回、前記ＤＲＣ要求を送信することを含み、
前記実効ＳＮＲの前記決定は、
複数のＳＮＲを決定することと、各ＳＮＲは、前記送信時間期間の始めが、前記第２のデータの前記受信に対応する前記ＤＲＣＬｅｎｇｔｈ個数のスロットのうちの異なる１つに位置合せされるケースに対応する、
前記ＳＮＲの中の最悪ＳＮＲを前記実効ＳＮＲとして選択することと
を含む、Ｃ１１に記載の方法。
[Ｃ１４]  前記送信時間期間中の前記第２のデータの前記受信に関する予測されたＳＮＲを決定することと、
前記実効ＳＮＲと前記予測されたＳＮＲとの合計に基づいて前記ＤＲＣ要求の値を決定することと
をさらに含む、Ｃ１３に記載の方法。
[Ｃ１５]  第１の無線アクセス技術（ＲＡＴ）の第１の無線アクセス回路と、
第２のＲＡＴの第２の無線アクセス回路と、
前記第１の無線アクセス回路を使用して第１のデータを送信するための送信時間期間を決定するための手段と、
前記送信時間期間中の前記第１のデータの前記送信によって干渉される第２のデータのパーセンテージを推定するための手段と、前記第２のデータは前記第２の無線アクセス回路を使用して受信される、
前記推定されたパーセンテージに基づいて、実効信号対雑音比（ＳＮＲ）を決定するための手段と、
前記第２の無線アクセス回路を使用して前記実効ＳＮＲに基づいてデートレート制御（ＤＲＣ）要求を送信するための手段と
を含む、二重アクティブモード中の受信機デセンスを軽減することができる二重ＳＩＭアクセス端末。
[Ｃ１６]  二重アクティブモード中の受信機デセンスを軽減することができる二重ＳＩＭアクセス端末に、
第１の無線アクセス技術（ＲＡＴ）の第１の無線アクセス回路を使用して第１のデータを送信するための送信時間期間を決定することと、
前記送信時間期間中の前記第１のデータの前記送信によって干渉される第２のデータのパーセンテージを推定することと、前記第２のデータは第２のＲＡＴの第２の無線アクセス回路を使用して受信される、
前記推定されたパーセンテージに基づいて、実効信号対雑音比（ＳＮＲ）を決定することと、
前記第２の無線アクセス回路を使用して前記実効ＳＮＲに基づいてＤＲＣ要求を送信することと
を行わせるためのコードを含む、コンピュータ可読記憶媒体を含むコンピュータプログラム製品。
[Ｃ１７]  少なくとも１つのプロセッサと、
前記少なくとも１つのプロセッサに結合された、第１の無線アクセス技術（ＲＡＴ）の第１の無線アクセス回路と、
前記少なくとも１つのプロセッサに結合された、第２のＲＡＴの第２の無線アクセス回路と、
前記少なくとも１つのプロセッサに結合された、メモリと
を含み、ここにおいて、前記少なくとも１つのプロセッサは、
前記第１の無線アクセス回路を使用して第１のデータを送信するための送信時間期間を決定することと、
前記送信時間期間中の前記第１のデータの前記送信によって干渉される第２のデータのパーセンテージを推定することと、前記第２のデータは前記第２の無線アクセス回路を使用して受信される、
前記推定されたパーセンテージに基づいて、実効信号対雑音比（ＳＮＲ）を決定することと、
前記第２の無線アクセス回路を使用して前記実効ＳＮＲに基づいてＤＲＣ要求を送信することと
を行うように構成される、二重アクティブモード中の受信機デセンスを軽減することができる二重ＳＩＭアクセス端末。
[Ｃ１８]  前記第１のＲＡＴは、グローバルシステムフォーモバイルコミュニケーションズ（ＧＳＭ）であり、前記第２のＲＡＴは、エボリューションフォーデータオプティマイズド（ＥＶ−ＤＯ）である、Ｃ１７に記載の二重ＳＩＭアクセス端末。
[Ｃ１９]  前記少なくとも１つのプロセッサは、
ＤＲＣＬｅｎｇｔｈ個数のスロットごとに１回、前記ＤＲＣ要求を送信することと、
複数のＳＮＲを決定することと、各ＳＮＲは、前記送信時間期間の始めが、前記第２のデータの前記受信に対応する前記ＤＲＣＬｅｎｇｔｈ個数のスロットのうちの異なる１つに位置合せされるケースに対応する、
前記ＳＮＲの中の最悪ＳＮＲを前記実効ＳＮＲとして選択することと
を行うようにさらに構成される、Ｃ１７に記載の二重ＳＩＭアクセス端末。
[Ｃ２０]  前記少なくとも１つのプロセッサは、
前記送信時間期間中の前記第２のデータの前記受信に関する予測されたＳＮＲを決定し、
前記実効ＳＮＲと前記予測されたＳＮＲとの合計に基づいて前記ＤＲＣ要求の値を決定する
ようにさらに構成される、Ｃ１９に記載の二重ＳＩＭアクセス端末。
[Ｃ２１]  送信時間期間中に、第１の無線アクセス技術（ＲＡＴ）の第１の無線アクセス回路を使用して第１のデータを送信することと、
前記送信時間期間の少なくとも一部の間に、第２のＲＡＴの第２の無線アクセス回路を使用して第２のデータを受信することと、
前記送信時間期間中に、前記第２の無線アクセス回路での少なくとも１つの破損した順方向リンクＭＡＣチャネルのハンドリングを一時停止することと
を含む、二重アクティブモード中の二重ＳＩＭアクセス端末での受信機デセンスを軽減する方法。
[Ｃ２２]  前記第１のＲＡＴは、グローバルシステムフォーモバイルコミュニケーションズ（ＧＳＭ）であり、前記第２のＲＡＴは、エボリューションフォーデータオプティマイズド（ＥＶ−ＤＯ）である、Ｃ２１に記載の方法。
[Ｃ２３]  前記一時停止することは、前記送信時間期間中に、前記第２の無線アクセス回路でのＤＲＣＬｏｃｋチャネルの破損した部分の蓄積を差し控えることを含む、Ｃ２１に記載の方法。
[Ｃ２４]  前記一時停止することは、前記送信時間期間中に、逆方向アクティビティチャネルフィルタの更新を差し控えることを含む、Ｃ２１に記載の方法。
[Ｃ２５]  前記一時停止することは、前記送信時間期間中に、逆方向リンク電力制御決定を一時停止することを含む、Ｃ２１に記載の方法。
[Ｃ２６]  第１の無線アクセス技術（ＲＡＴ）の第１の無線アクセス回路と、
第２のＲＡＴの第２の無線アクセス回路と、
送信時間期間中に、前記第１の無線アクセス回路を使用して第１のデータを送信するための手段と、
前記送信時間期間の少なくとも一部の間に、前記第２の無線アクセス回路を使用して第２のデータを受信するための手段と、
前記送信時間期間中に、前記第２の無線アクセス回路での少なくとも１つの破損した順方向リンクＭＡＣチャネルのハンドリングを一時停止するための手段と
を含む、二重アクティブモード中の受信機デセンスを軽減することができる二重ＳＩＭアクセス端末。
[Ｃ２７]  二重アクティブモード中の受信機デセンスを軽減することができる二重ＳＩＭアクセス端末に、
送信時間期間中に、第１の無線アクセス技術（ＲＡＴ）の第１の無線アクセス回路を使用して第１のデータを送信させ、
前記送信時間期間の少なくとも一部の間に、第２のＲＡＴの第２の無線アクセス回路を使用して第２のデータを受信させ、
前記送信時間期間中に、前記第２の無線アクセス回路での少なくとも１つの破損した順方向リンクＭＡＣチャネルのハンドリングを一時停止させる
ためのコードを含むコンピュータ可読記憶媒体を含む、コンピュータプログラム製品。
[Ｃ２８]  少なくとも１つのプロセッサと、
前記少なくとも１つのプロセッサに結合された、第１の無線アクセス技術（ＲＡＴ）の第１の無線アクセス回路と、
前記少なくとも１つのプロセッサに結合された、第２のＲＡＴの第２の無線アクセス回路と、
前記少なくとも１つのプロセッサに結合された、メモリと
を含み、ここにおいて、前記少なくとも１つのプロセッサは、
送信時間期間中に、前記第１の無線アクセス回路を使用して第１のデータを送信し、
前記送信時間期間の少なくとも一部の間に、前記第２の無線アクセス回路を使用して第２のデータを受信し、
前記送信時間期間中に、前記第２の無線アクセス回路での少なくとも１つの破損した順方向リンクＭＡＣチャネルのハンドリングを一時停止する
ように構成される、二重アクティブモード中の受信機デセンスを軽減することができる二重ＳＩＭアクセス端末。
[Ｃ２９]  前記第１のＲＡＴは、グローバルシステムフォーモバイルコミュニケーションズ（ＧＳＭ）であり、前記第２のＲＡＴは、エボリューションフォーデータオプティマイズド（ＥＶ−ＤＯ）である、Ｃ２８に記載の二重ＳＩＭアクセス端末。
[Ｃ３０]  前記少なくとも１つのプロセッサは、前記送信時間期間中に、前記第２の無線アクセス回路でのＤＲＣＬｏｃｋチャネルの破損した部分の蓄積を差し控えるようにさらに構成される、Ｃ２８に記載の二重ＳＩＭアクセス端末。
[Ｃ３１]  前記少なくとも１つのプロセッサは、前記送信時間期間中に、逆方向アクティビティチャネルフィルタの更新を差し控えるようにさらに構成される、Ｃ２８に記載の二重ＳＩＭアクセス端末。
[Ｃ３２]  前記少なくとも１つのプロセッサは、前記送信時間期間中に、逆方向リンク電力制御決定を一時停止するようにさらに構成される、Ｃ２８に記載の二重ＳＩＭアクセス端末。
[Ｃ３３]  送信時間期間中に、第１の無線アクセス技術（ＲＡＴ）の第１の無線アクセス回路を使用して第１のデータを送信することと、
前記送信時間期間の少なくとも一部の間に、第２のＲＡＴの第２の無線アクセス回路を使用して第２のデータを受信することと、
前記第２のデータをメモリに記憶することと、
前記第１のデータの前記送信によって引き起こされる前記第２のデータの前記受信に対するデセンスの度合を示すデセンス値を決定することと、
前記デセンス値に基づいて前記メモリ内の前記第２のデータを選択的にヌリングすることと
を含む、二重アクティブモード中の二重ＳＩＭアクセス端末での受信機デセンスを軽減する方法。
[Ｃ３４]  前記第１のＲＡＴは、グローバルシステムフォーモバイルコミュニケーションズ（ＧＳＭ）であり、前記第２のＲＡＴは、エボリューションフォーデータオプティマイズド（ＥＶ−ＤＯ）である、Ｃ３３に記載の方法。
[Ｃ３５]  前記デセンス値を前記決定することは、前記デセンス値として、前記メモリに記憶された前記第２のデータの飽和比または平均振幅を決定することを含む、Ｃ３３に記載の方法。
[Ｃ３６]  前記デセンス値を前記決定することは、前記デセンス値として、狭帯域エネルギーエスティメータを使用して前記第２のデータのエネルギーを推定することを含む、Ｃ３３に記載の方法。
[Ｃ３７]  前記推定することは、前記第１のデータを送信するためのＧＳＭアップリンクスロットあたりの前記第２のデータの平均エネルギーを計算することを含む、Ｃ３６に記載の方法。
[Ｃ３８]  前記選択的にヌリングすることは、前記メモリ内の前記第２のデータをヌリングすべきか否かを決定するために、前記デセンス値をしきい値と比較することを含む、Ｃ３３に記載の方法。
[Ｃ３９]  ヌリングすべきか否か前記決定することは、前記第１の無線回路によって利用されるＧＳＭアップリンク周波数ごとに行われる、Ｃ３８に記載の方法。
[Ｃ４０]  ヌリングすべきか否か前記決定することは、前記第１のデータを送信するためのＧＳＭアップリンクスロットＮ内で行われ、
前記選択的にヌリングすることは、前記ＧＳＭアップリンクスロットＮ内で行われた前記決定に従って、前記第１のデータを送信するためのＧＳＭアップリンクスロットＮ＋１内で前記第２のデータをヌリングすることを含む、
Ｃ３８に記載の方法。
[Ｃ４１]  有限インパルス応答（ＩＩＲ）フィルタを用いて前記デセンス値をフィルタリングすることをさらに含む、Ｃ３３に記載の方法。
[Ｃ４２]  前記ＩＩＲフィルタは、前記第１のデータを送信するための複数のＧＳＭアップリンク周波数にそれぞれ対応する複数のフィルタを含む、Ｃ４１に記載の方法。
[Ｃ４３]  前記メモリは、ＦＥＲＡＭまたはＬＲＡＭを含む、Ｃ３３に記載の方法。
[Ｃ４４]  第１の無線アクセス技術（ＲＡＴ）の第１の無線アクセス回路と、
第２のＲＡＴの第２の無線アクセス回路と、
送信時間期間中に、前記第１の無線アクセス回路を使用して第１のデータを送信するための手段と、
前記送信時間期間の少なくとも一部の間に、前記第２の無線アクセス回路を使用して第２のデータを受信するための手段と、
前記第２のデータをメモリに記憶するための手段と、
前記第１のデータの前記送信によって引き起こされる前記第２のデータの前記受信に対するデセンスの度合を示すデセンス値を決定するための手段と、
前記デセンス値に基づいて前記メモリ内の前記第２のデータを選択的にヌリングするための手段と
を含む、二重アクティブモード中の受信機デセンスを軽減することができる二重ＳＩＭアクセス端末。
[Ｃ４５]  二重アクティブモード中の受信機デセンスを軽減することができる二重ＳＩＭアクセス端末に、
送信時間期間中に、第１の無線アクセス技術（ＲＡＴ）の第１の無線アクセス回路を使用して第１のデータを送信させ、
前記送信時間期間の少なくとも一部の間に、第２のＲＡＴの第２の無線アクセス回路を使用して第２のデータを受信させ、
前記第２のデータをメモリに記憶させ、
前記第１のデータの前記送信によって引き起こされる前記第２のデータの前記受信に対するデセンスの度合を示すデセンス値を決定させ、
前記デセンス値に基づいて前記メモリ内の前記第２のデータを選択的にヌリングさせる
ためのコードを含むコンピュータ可読記憶媒体を含む、コンピュータプログラム製品。
[Ｃ４６]  少なくとも１つのプロセッサと、
前記少なくとも１つのプロセッサに結合された、第１の無線アクセス技術（ＲＡＴ）の第１の無線アクセス回路と、
前記少なくとも１つのプロセッサに結合された、第２のＲＡＴの第２の無線アクセス回路と、
前記少なくとも１つのプロセッサに結合された、メモリと
を含み、ここにおいて、前記少なくとも１つのプロセッサは、
送信時間期間中に、前記第１の無線アクセス回路を使用して第１のデータを送信し、
前記送信時間期間の少なくとも一部の間に、前記第２の無線アクセス回路を使用して第２のデータを受信し、
前記第２のデータをメモリに記憶し、
前記第１のデータの前記送信によって引き起こされる前記第２のデータの前記受信に対するデセンスの度合を示すデセンス値を決定し、
前記デセンス値に基づいて前記メモリ内の前記第２のデータを選択的にヌリングする
ように構成される、二重アクティブモード中の受信機デセンスを軽減することができる二重ＳＩＭアクセス端末。
[Ｃ４７]  前記第１のＲＡＴは、グローバルシステムフォーモバイルコミュニケーションズ（ＧＳＭ）であり、前記第２のＲＡＴは、エボリューションフォーデータオプティマイズド（ＥＶ−ＤＯ）である、Ｃ４６に記載の二重ＳＩＭアクセス端末。
[Ｃ４８]  前記少なくとも１つのプロセッサは、前記デセンス値として、前記メモリに記憶された前記第２のデータの飽和比または平均値を決定するようにさらに構成される、Ｃ４６に記載の二重ＳＩＭアクセス端末。
[Ｃ４９]  前記少なくとも１つのプロセッサに結合された狭帯域（ＮＢ）エネルギーエスティメータをさらに含み、
ここにおいて、前記少なくとも１つのプロセッサは、前記デセンス値として、前記ＮＢエネルギーエスティメータを使用して前記第２のデータのエネルギーを推定するようにさらに構成される、
Ｃ４６に記載の二重ＳＩＭアクセス端末。
[Ｃ５０]  前記少なくとも１つのプロセッサは、前記第１のデータを送信するためのＧＳＭアップリンクスロットあたりの前記第２のデータの平均エネルギーを計算するようにさらに構成される、Ｃ４９に記載の二重ＳＩＭアクセス端末。
[Ｃ５１]  前記少なくとも１つのプロセッサは、前記メモリ内の前記第２のデータをヌリングすべきか否かを決定するために、前記デセンス値をしきい値と比較するようにさらに構成される、Ｃ４６に記載の二重ＳＩＭアクセス端末。
[Ｃ５２]  前記少なくとも１つのプロセッサは、前記第１の無線回路によって利用されるＧＳＭアップリンク周波数ごとにヌリングすべきか否かを決定するようにさらに構成される、Ｃ５１に記載の二重ＳＩＭアクセス端末。
[Ｃ５３]  前記少なくとも１つのプロセッサは、
前記第１のデータを送信するためのＧＳＭアップリンクスロットＮ内で、ヌリングすべきか否かを決定し、
前記ＧＳＭアップリンクスロットＮ内で行われた前記決定に従って、前記第１のデータを送信するためのＧＳＭアップリンクスロットＮ＋１内で前記第２のデータを選択的にヌリングする
ようにさらに構成される、Ｃ５１に記載の二重ＳＩＭアクセス端末。
[Ｃ５４]  前記少なくとも１つのプロセッサは、有限インパルス応答（ＩＩＲ）フィルタを用いて前記デセンス値をフィルタリングするようにさらに構成される、Ｃ４６に記載の二重ＳＩＭアクセス端末。
[Ｃ５５]  前記ＩＩＲフィルタは、前記第１のデータを送信するための複数のＧＳＭアップリンク周波数にそれぞれ対応する複数のフィルタを含む、Ｃ５４に記載の二重ＳＩＭアクセス端末。
[Ｃ５６]  前記メモリは、ＦＥＲＡＭまたはＬＲＡＭを含む、Ｃ４６に記載の二重ＳＩＭアクセス端末。
【図１】
0006373960.tif 000002
【図２】
0006373960.tif 000003
【図３】
0006373960.tif 000004
【図４】
0006373960.tif 000005
【図５】
0006373960.tif 000006
【図６】
0006373960.tif 000007
【図７】
0006373960.tif 000008
【図８】
0006373960.tif 000009
【図９】
0006373960.tif 000010
【図１０】
0006373960.tif 000011
【図１１】
0006373960.tif 000012
【図１２】
0006373960.tif 000013
【図１３】
0006373960.tif 000014
【図１４】
0006373960.tif 000015
【図１５】
0006373960.tif 000016